(57)【要約】【課題】簡単な構成によってしかも天板の高さ調整を簡単で迅速に行うことができる万能台を提供する。【解決手段】支持脚２と、この支持脚２に支持される天板３とを備えてなり、支持脚２には天板３を支持する支持手段４が上下に複数段設けられ、天板３が支持手段４によって着脱自在に且つ高さ調整可能に設けられている。支持手段４は、支持脚２の前脚２１に設けられた前支持部４１と、支持脚２の後脚２２に設けられた後支持部４２とで構成され、前支持部４１は、天板３が挿入可能なように前脚２１内面に形成された溝部からなる一方、後支持部４２は後脚２２内面から内方に突出された突出部からなっている。【選択図】  図１
2007159405.tif 000002
【特許請求の範囲】
【請求項１】
支持脚と、この支持脚に支持される天板とを備えてなり、
上記支持脚には天板を支持する支持手段が上下に複数段設けられ、天板が当該支持手段によって着脱自在に且つ高さ調整可能に設けられたことを特徴とする万能台。
【請求項２】
前記支持手段は、前記支持脚の前脚に設けられた前支持部と、支持脚の後脚に設けられた後支持部とで構成され、前支持部は、天板が挿入可能なように前脚内面に形成された溝部からなる一方、後支持部は後脚内面から内方に突出された突出部からなることを特徴とする請求項１記載の万能台。
【発明の詳細な説明】
【技術分野】
【０００１】
本発明は、例えばペットの食事台や、踏み台などとして幅広く利用することができる万能台に関するものである。
【背景技術】
【０００２】
従来、支持脚とこの支持脚に支持される天板とを備え、支持脚の長さを変えることにより天板の高さを調整するようにしている作業台が提供されている（例えば、特許文献１参照。）。
【特許文献１】特開２００１−３４７４３１号公報
【発明の開示】
【発明が解決しようとする課題】
【０００３】
しかしながら、上記従来の作業台では支持脚の長さを変えることによって天板の高さを調整しているため、支持脚の長さを変えるために当該支持脚を伸縮や脱着させる作業が必要であり、この作業が煩雑で使い勝手が悪いという問題があった。
【０００４】
本発明は、上記問題点に鑑みてなされたもので、その目的とするところは、簡単な構成によってしかも天板の高さ調整を簡単で迅速に行うことができる万能台を提供することにある。
【課題を解決するための手段】
【０００５】
上記の目的を達成するため、請求項１に係る発明の万能台は、支持脚と、この支持脚に支持される天板とを備えてなり、上記支持脚には天板を支持する支持手段が上下に複数段設けられ、天板が当該支持手段によって着脱自在に且つ高さ調整可能に設けられたものである。
【０００６】
請求項２に係る発明の万能台は、前記支持手段は、前記支持脚の前脚に設けられた前支持部と、支持脚の後脚に設けられた後支持部とで構成され、前支持部は、天板が挿入可能なように前脚内面に形成された溝部からなる一方、後支持部は後脚内面から内方に突出された突出部からなるものである。
【発明の効果】
【０００７】
本発明によれば、支持脚に天板を支持する支持手段を上下に複数段設け、天板を当該支持手段によって着脱自在に且つ高さ調整可能に設けたことで、天板の高さを簡単にしかも迅速に調整することができて使い勝手が良く、ペットの食事台などとして利用することができる。
【発明を実施するための最良の形態】
【０００８】
以下、本発明の実施の形態について図面を参照して説明する。
【０００９】
図１及び図２は、本発明の万能台を示している。
【００１０】
この万能台１は、左右一対の支持脚２と、この支持脚２に支持される天板３とを備えている。
【００１１】
支持脚２は、左右に所定間隔を隔てて立設された前後一対の前脚２１と後脚２２とを備えている。
【００１２】
前脚２１は、上端が下端に対して後側になるようにやや傾斜した状態で立設されており、この前脚２１と上記後脚２２の上端部同士が上連結材２３によって連結されるとともに、前脚２１と上記後脚２２の下端部同士が下連結材２５によって連結されている。
【００１３】
具体的には、前脚２１は、その上端部後面が上連結材２３の前端と連設され、下端部外側面が下連結材２５の前端内側面と連設されている。また、後脚２２は、その上端部内側面が上連結材２３の後端外側面と連設され、下端面が下連結材２５の後端部上面と連設されている。
【００１４】
このように前脚２１と後脚２２とを上下連結材２３、２５で連設することにより、左右の各支持脚２は側面から見て略台形状になっている。
【００１５】
また、左右の支持脚２の下部前後は前連結材２６と後連結材２７によって連結されている。具体的には、前連結材２６は、丸棒であって両端が左右の前脚２１の下端内側面に連結されている。一方、後連結材２７は、断面矩形状の長尺体であって下連結材２５の後端部内側面に連結されている。
【００１６】
これら前脚２１、後脚２２、上下連結材２３、２５、及び前後連結材２６、２７は、例えばビスやボルトなどを用いて上述したように連結固定されている。
【００１７】
そして、このように構成された支持脚２には支持手段４が設けられている。支持手段４は、天板３を支持脚２に支持するためのもので、前脚２１に設けられた前支持部４１と、後脚２２に設けられた後支持部４２とで構成されている。
【００１８】
前支持部４１は、天板３が挿入可能なように前脚２１の内面に形成された溝部で構成されており、この前支持部４１が上下に複数段（本例では３段）形成されている。
【００１９】
後支持部４２は、後脚２２内面の途中部から内方に突出された上下２つの突出部４２ａを備えている。これら突出部４２ａは所定長さの円筒状に形成されており、これら突出部４２ａ間に中段の前記前支持部４１に挿入された天板３を挿入することによって、天板３の後側を支持するようにしている。また、下側の突出部４２ａと前記後連結材２７の両端部間も、下段の前記前支持部４１に挿入された天板３の後側を支持するように挿入可能になっている。さらに、上側の突出部４２ａと前記上連結材２３の後端部間も、上段の前記前支持部４１に挿入された天板３の後側を支持するように挿入可能になっている。
【００２０】
つまり、上下の突出部４２ａの他に、後連結材２７の両端部と、上連結材２３の後端部も後支持部４２の役割を担っている。
【００２１】
このように天板３は、上述した溝部からなる各前支持部４１と突出部４２ａ等との間に挿入することによって、その前部が上記溝部で上下を挟持されるとともに、その後部が突出部４２間等で上下を挟持される形で支持脚２に支持され、これにより左右の支持脚２に略水平状態で安定的に配置される。そして、前支持部４１に挿入する上下位置を変えることで、本例では上下３段で天板３の高さを調整することができる。
【００２２】
また、天板３の左右両側の前部には、円筒状のストッパー３１が側方に突出されており、前述したように天板３を支持脚２の前支持部４１及び後支持部４２に挿入した際にこのストッパー３１が前脚２１の前面に当接することで、天板３の奥行き方向への移動を阻止して当該天板３を支持脚２に安定した状態で配置するようにしている。
【００２３】
さらに、この天板３は、犬、猫などのペットの食事台として利用するように、周縁に対して一段下がるように形成した上面３ａが耐熱性を有する部材、例えば耐熱タイルなどで構成されている。このように天板３の上面３ａを耐熱タイルなどで構成することで、温かい食事などに対しても天板３の反りなどの発生を防止して一定の耐久性を保持することができる。また、周縁に対して上面３ａを一段下げて形成していることで、この上面３ａに置いた食器Ａ（図１参照）などが滑って側方に落下するのを防止することができる。
【００２４】
なお、前記下連結材２５の底面適所には滑り止め５が設けられており、床面に安定した状態で載置できるようにしている。
【００２５】
このように万能台１を構成することで、当該万能台１をペットの食事台として利用することができる。この場合、天板３を上下に設けられた前支持部４１及び後支持部４２の適宜な箇所に抜き差し（着脱）することで、天板３の高さを簡単にしかも迅速に調整することができる。
【００２６】
即ち、ペットの大きさに応じて天板３の高さ調整をすることで、当該ペットが食べやすい位置に食器Ａを置くことが出来る。また、介護を要するペットにあってはこのペットが食べやすい位置に食器Ａが配置できるように天板３の高さを調整することができる。
【００２７】
さらに、支持脚２及び天板３の各角部や前連結材２６などは丸みを付けて形成しているため、これらの部位にペットの脚などが当たって怪我するのを防止することができ安全に利用できるようになっている。
【００２８】
なお、上述した実施形態は、あくまでも本発明の好適な実施態様を示すものであって、本発明はこれに限定されることなく、その範囲内において種々設計変更可能である。
【００２９】
例えば、万能台１は、ペットの食事台に限らず、例えば高い所の物を取る際などに使用する踏み台などとしても利用することができる。
【００３０】
また、天板３の高さ調整は３段に限らず２段以上であれば何段でもよい。
【図面の簡単な説明】
【００３１】
【図１】本発明の万能台を示す斜視図である。
【図２】同じく万能台を示す分解斜視図である。
【符号の説明】
【００３２】
１  万能台
２  支持脚
２１  前脚
２２  後脚
３  天板
４  支持手段
４１  前支持部
４２  後支持部
４２ａ  突出部
【図１】
2007159405.tif 000003
【図２】
2007159405.tif 000004